(57)【要約】【課題】本発明は、骨伝導ユニットの位置合せを利用者に合せてきめ細かく行うことができるとともに位置合せした骨伝導ユニットを安定した状態で保持することが可能な骨伝導ユニット装着具を提供する。【解決手段】後頭部を囲むように湾曲形成された支持枠体１の両端部が前方にほぼ直線状に延設されており、延設された両端部には、嵌合部材２ａ及び２ｂを摺動可能に支持する摺動部１ａ及び１ｂが設けられている。嵌合部材２ａ及び２ｂの下面には、軸支部２０ａ及び２０ｂが垂設されており、軸支部２０ａ及び２０ｂには、アーム部材３ａ及び３ｂの上端部が回動可能に取り付けられている。アーム部材３ａ及び３ｂは、棒状の部材を階段状に折り曲げられて形成されており、下端部が外方に向かって延設されるようになっている。そして、それぞれの下端部には、骨伝導ユニットを内蔵する保持ケース体４ａ及び４ｂが回動可能に取り付けられている。【選択図】図１
2007312050.tif 000002
【特許請求の範囲】
【請求項１】
頭部に装着される支持枠体と、頭部側面において支持枠体に摺動可能に嵌合する嵌合部材と、骨伝導ユニットを内蔵する保持ケース体と、一端部を頭部側面に沿って回動可能となるように嵌合部材に支持されるとともに他端部に保持ケース体を回動可能に取り付けたアーム部材とを備え、骨伝導ユニットの頭部伝導面の頭部側面に対する角度調整が可能となるように前記アーム部材の他端部に前記保持ケース体が取り付けられていることを特徴とする骨伝導ユニット装着具。
【請求項２】
前記アーム部材の一端部は、前記嵌合部材の下部に垂設された一対の軸支部の間に回動可能に嵌め込まれていることを特徴とする請求項１に記載の骨伝導ユニット装着具。
【請求項３】
前記アーム部材の他端部は、略球面状に形成されるとともに前記保持ケース体内に挿着されて前記保持ケース体内に形成された略球面状の突起に圧接されていることを特徴とする請求項１又は２に記載の骨伝導ユニット装着具。
【請求項４】
前記保持ケース体は、骨伝導ユニットの頭部伝導面を露出する開口部及び前記アーム部材の他端部を挿着する挿着孔が形成されたケース基体部と、前記突起が内面に形成されるとともに内蔵された骨伝導ユニットを前記開口部に向かって付勢する弾性部材を内面に設けたケース取付部とを備えていることを特徴とする請求項３に記載の骨伝導ユニット装着具。
【発明の詳細な説明】
【技術分野】
【０００１】
本発明は、補聴器等の音声出力装置に用いられる骨伝導ユニットを頭部側面に装着するための骨伝導ユニット装着具に関する。
【背景技術】
【０００２】
近年音声情報のデジタル化技術が進展して補聴器、携帯電話、携帯用音楽プレイヤーといった音声機器の音質向上及びコンパクト化が図られている。一方、頭骨に振動を与えて直接聴覚器官に音声出力を行う骨伝導技術が開発されており、難聴の場合や騒音の中での音声の聴取に有効な手段として用いられている。そのため、上述した音声機器の音声出力装置として骨伝導ユニットを取り入れたものが開発されている。骨伝導ユニットを備えた音声機器は、外部に音が漏れにくく、従来のヘッドフォンのように大音量による難聴を避けることができるといったメリットもあり、今後有望な商品として捉えられている。
【０００３】
そして、骨伝導ユニットを備えた音声機器が小型化されて頭部に容易に装着することができるようになっている。例えば、特許文献１では、後頭部に回るバンドと、バンドの両端に形成される掛止部と、掛止部に係止されるノブを有する骨伝導スピーカと、装着時に骨伝導スピーカの上方に伸びて耳に掛かる耳掛部とから成る骨伝導ヘッドセットが記載されている。また、特許文献２では、圧電バイモルフ若しくは圧電ユニモルフと可撓性物質とを複合してなる板状の圧電振動体を備えるヘッドフォンにおいて、圧電振動体を外耳道の正面付近又は耳介の前側にある頬骨の付近に選択的に固定する位置選択機構を備えた点が記載されている。
【０００４】
また、骨伝導ユニットを備えた音声機器を眼鏡フレームに装着することも検討されている。例えば、特許文献３では、眼鏡のつる部内に骨伝導補聴器に必要な部品を配設した点が記載されている。また、特許文献４では、眼鏡の左右一対のつるにそれぞれマイクユニット及び骨伝導ユニットを取り付けた点が記載されている。また、特許文献５では、頭部を擦るようにして頭部の骨を振動させる振動子を有する骨伝導スピーカを取り付けた眼鏡が記載されている。
【特許文献１】特開２００３−１８６８３号公報
【特許文献２】特開２００５−３１８０８７号公報
【特許文献３】特公昭５９−２９８４３号公報
【特許文献４】特開２００４−２０５８３９号公報
【特許文献５】特開２００５−１５１２９２号公報
【発明の開示】
【発明が解決しようとする課題】
【０００５】
上述した先行文献では、骨伝導ユニットを頭部側面の耳近傍の骨に当接させて音声出力を行うようにしているが、人体の頭蓋骨の形状は様々であり、そのため個人によって骨伝導しやすい骨の位置が異なる。したがって、利用者毎に骨伝導ユニットの位置合せをきめ細かく行って、利用者が最もよく聞こえる位置に骨伝導ユニットを安定した状態で保持しなければならない。特に、音楽やラジオを聴く場合には、従来のヘッドフォンと同じように優れた音質で長時間にわたって聴けるようになることが重要である。
【０００６】
しかしながら、上述の先行文献では、利用者毎の骨伝導ユニットの位置合せがきめ細かく行うことができず、眼鏡に用いる場合では、位置合せのために眼鏡フレームを変形することが必要となることも考えられ、眼鏡の装着感を犠牲にしなければならなくなる。利用者に合せて骨伝導ユニットの位置を調整して埋め込むことも考えられるが、こうしたオーダーメイドの眼鏡を製造することはコスト負担が増加して現実的でない。
【０００７】
そこで、本発明は、骨伝導ユニットの位置合せを利用者に合せてきめ細かく行うことができるとともに位置合せした骨伝導ユニットを安定した状態で保持することが可能な骨伝導ユニット装着具を提供することを目的とするものである。
【課題を解決するための手段】
【０００８】
本発明に係る骨伝導ユニット装着具は、頭部に装着される支持枠体と、頭部側面において支持枠体に摺動可能に嵌合する嵌合部材と、骨伝導ユニットを内蔵する保持ケース体と、一端部を頭部側面に沿って回動可能となるように嵌合部材に支持されるとともに他端部に保持ケース体を回動可能に取り付けたアーム部材とを備え、骨伝導ユニットの頭部伝導面の頭部側面に対する角度調整が可能となるように前記アーム部材の他端部に前記保持ケース体が取り付けられていることを特徴とする。さらに、前記アーム部材の一端部は、前記嵌合部材の下部に垂設された一対の軸支部の間に回動可能に嵌め込まれていることを特徴とする。さらに、前記アーム部材の他端部は、略球面状に形成されるとともに前記保持ケース体内に挿着されて前記保持ケース体内に形成された略球面状の突起に圧接されていることを特徴とする。さらに、前記保持ケース体は、骨伝導ユニットの頭部伝導面を露出する開口部及び前記アーム部材の他端部を挿着する挿着孔が形成されたケース基体部と、前記突起が内面に形成されるとともに内蔵された骨伝導ユニットを前記開口部に向かって付勢する弾性部材を内面に設けたケース取付部とを備えていることを特徴とする。
【発明の効果】
【０００９】
本発明は、上記の構成を備えることで、（ａ）嵌合部材を支持枠体に対して摺動させることによる位置合せ、（ｂ）アーム部材を嵌合部材に対して回動させることによる位置合せ及び（ｃ）保持ケース体をアーム部材に対して回動させて骨伝導ユニットの頭部伝導面の頭部側面に対する角度調整を行うことによる位置合せ、の３つの位置合せを組み合せることで利用者に合せてきめ細かく骨伝導ユニットの位置合せを行うことができる。
【００１０】
すなわち、位置合せ（ａ）により頭部側面において頭部の前後方向に保持ケース体を移動させて位置調整し、位置合せ（ｂ）によりアーム部材を回動させて保持ケース体を上下方向に位置調整して、利用者の最も伝導しやすい骨の位置に容易に位置決めすることができる。そして、位置合せ（ｃ）により骨伝導ユニットの頭部伝導面の頭部側面に対する角度調整を行うことで、頭部伝導面を利用者の頭部側面の傾斜に合せて調整して最も伝導しやすい状態に設定することができる。
【００１１】
そして、以上のような位置合せ作業は、利用者が骨伝導ユニット装着具を装着した状態で伝導される音声を聴きながら位置合せを行うことができ、利用者自身が個々の状況に合せて常に最適な状態で装着することが可能となる。
【００１２】
また、支持枠体に、嵌合部材を取り付けて嵌合部材及び保持ケース体をアーム部材で連結した簡単な構成であるため、軽量化しやすく、さらに、上述したきめ細かい位置合せにより保持ケース体が頭部側面に対してより密着した状態で保持されるため、長時間にわたって安定した装着状態を保つことが可能となる。
【００１３】
そして、アーム部材の一端部を、嵌合部材の下部に垂設された一対の軸支部の間に回動可能に嵌め込むようにすることで、簡単な構成で回動可能にアーム部材を取り付けることができる。
【００１４】
また、アーム部材の他端部を略球面状に形成し、保持ケース体内に挿着して保持ケース体内に形成された略球面状の突起に圧接することで、略球面状の突起がアーム部材の略球面状の他端部の表面を圧接された状態で摺動して保持ケース体がアーム部材に対して回動することができ、簡単な構成で保持ケース体に内蔵された骨伝導ユニットの頭部伝導面の角度調整を安定して行うことができる。
【００１５】
また、保持ケース体が、骨伝導ユニットの頭部伝導面を露出する開口部及びアーム部材の他端部を挿着する挿着孔が形成されたケース基体部と、略球面状の突起が内面に形成されるとともに内蔵された骨伝導ユニットを開口部に向かって付勢する弾性部材を内面に設けたケース取付部とを備えることで、簡単な構成で、骨伝導ユニットのセット、アーム部材の取り付けといった作業を正確かつ容易に行うことができる。
【発明を実施するための最良の形態】
【００１６】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１７】
図１は、本発明に係る実施形態に関する外観斜視図である。骨伝導ユニット装着具は、後頭部を囲むように湾曲形成された支持枠体１の両端部が前方にほぼ直線状に延設されており、延設された両端部には、それぞれ嵌合部材２ａ及び２ｂを摺動可能に支持する摺動部１ａ及び１ｂが設けられている。
【００１８】
嵌合部材２ａ及び２ｂの下面には、それぞれ軸支部２０ａ及び２０ｂが垂設されており、軸支部２０ａ及び２０ｂには、それぞれアーム部材３ａ及び３ｂの上端部が回動可能に取り付けられている。アーム部材３ａ及び３ｂは、棒状の部材を階段状に折り曲げられて形成されており、下端部が外方に向かって延設されるようになっている。そして、それぞれの下端部には、骨伝導ユニットを内蔵する保持ケース体４ａ及び４ｂが回動可能に取り付けられている。
【００１９】
図２は、図１に示す実施形態に関する分解斜視図であり、支持枠体１の摺動部１ａ側半分について記載している。摺動部１ｂ側については、同様の構成のため説明を省略する。なお、図２では、説明の便宜上、アーム部材３ａ及び保持ケース体４ａを実際の取り付け状態から回転させた状態で示している。
【００２０】
摺動部１ａの外側面には複数の係止突起１０ａが直線状に所定の間隔で形成されている。そして、嵌合部材２ａは筒状に形成され、その内径は摺動部１ａに摺動可能となるようにわずかに大きく形成されている。嵌合部２の外側部には、細長い直線状の溝２１ａが形成されており、その溝幅は係止突起１０ａの幅とほぼ同じになるように設定されている。そして、溝２１ａの両端部は、係止突起１０ａよりもわずかに大きくなるように設定されている。
【００２１】
図３は、嵌合部材２ａが摺動部１ａに取り付けられた状態を示す側面図である。嵌合部２ａを摺動部１ａの先端に挿入していくと係止突起１０ａに当接するが、係止突起１０ａを乗り越えてさらに挿入すると嵌合部２ａの溝２１ａに係止突起１０ａが嵌り込むようになる。溝２１ａの両端部の間の間隔及び隣接する係止突起１０ａの間隔は、ほぼ同じ長さとなるように設定されているので、嵌合部材２ａを摺動部１ａに挿入していくと、溝２１ａの両端部にそれぞれ係止突起１０ａが嵌合した状態で安定して保持されるようになる。この状態で、嵌合部材２ａを摺動させようとすると、溝２１ａの中間部は両端部よりも溝幅が狭く設定されているので、係止突起１０ａが溝２１ａの両端部に係止されて容易に摺動することができなくなる。そのため、不用意に嵌合部材２ａが摺動することが防止される。
【００２２】
図２に示すように、嵌合部材２ａの下面には、一対の板状体からなる軸支部２０ａが設けられており、軸支部２０ａの板状体のほぼ中央には円形の軸支孔２２ａが穿設されている。アーム部材３ａは、上端部３０ａ及び下端部３１ａが、略球面状に形成されて根元部分が括れた形状に形成されている。図４は、軸支部２０ａにアーム部材３ａの上端部３０ａが取り付けられた状態を示す正面図である。上端部３０ａは、軸支部２０ａの一対の板状体の間に挿入されてその両側が軸支孔２２ａに嵌め込まれ、板状体に挟持された状態となる。したがって、アーム部材３ａは、上端部３０ａが軸支部２０ａに軸支されて回動可能に取り付けられる。
【００２３】
保持ケース体４ａは、図２に示すように、ケース基体部４０ａ及びケース取付部４１ａに分割され、内部に骨伝導ユニット５ａを保持している。ケース基体部４０ａは、略円柱状の骨伝導ユニット５ａを収容する円筒部４２ａを備え、円筒部４２ａのケース取付部４１ａ側には、フランジ部４３ａが一体形成されている。また、円筒部４２ａのフランジ部４３ａとは反対側の面に円形の開口部４６ａが穿設されており、骨伝導ユニット５ａは、その頭部伝導面５０ａが開口部４６ａから露出するように取り付けられる。そして、開口部４６ａの全面を被覆するように柔軟性のあるカバー部材４７ａが設けられている。
【００２４】
フランジ部４３ａは、上方に延設されており、その先端部にはアーム部材３ａの下端部３１ａが挿着される挿着孔４４ａが穿設されている。また、フランジ部４３ａの円筒部４２ａの両側に対応する位置には一対の係合突起４５ａがケース取付部４１ａに向かって突設されている。
【００２５】
ケース取付部４１ａは、フランジ部４３ａとほぼ同じ外形状に形成されており、上方に延設された先端部の内面側において調整用突起４８ａが挿着孔４４ａと対応する位置に形成されている。調整用突起４８ａは、略球面状に形成されており、アーム部材３ａの下端部３１ａに圧接されるようになる。
【００２６】
ケース取付部４１ａの円筒部４２ａと対応する部分には、ほぼ同径の円筒状の収容孔４９ａが形成されている。収容孔４９ａの底面のほぼ中央には板バネ部材５１ａが取り付けられており、収容孔４９ａに収容された骨伝導ユニット５ａを開口部４６ａに向かって付勢するように作用する。収容孔４９ａの両側には、一対の係合突起４５ａに対応する位置に一対の係合溝５２ａが設けられている。
【００２７】
保持ケース体４ａを組立てる場合には、ケース基体部４０ａの挿着孔４４ａにアーム部材３ａの下端部３１ａを挿着し、下端部３１ａの括れた部分に挿着孔４４ａが密着した状態となるようにして下端部３１ａを抜け止めする。そして、骨伝導ユニット５ａを円筒部４２ａ内に嵌め込み、ケース取付部４１ａをフランジ部４３ａの外形に合せて係合突起４５ａが係合溝５２ａに嵌め込まれるように密着させ、収容孔４９ａ内に骨伝導ユニット５ａの露出部分が収容された状態でケース取付部４１ａをフランジ部４３ａに固定する。
【００２８】
図５は、保持ケース体４ａを組立てた状態における縦断面図を示している。アーム部材３ａの下端部３１ａは、調整用突起４８ａに圧接された状態となっており、その括れた部分には挿着孔４４ａの周縁部が密着した状態で嵌め込まれている。挿着孔４４ａの周縁部は、内方に向かって傾斜するように形成されており、そのため、フランジ部４３ａは、下端部３１ａに対してユニバーサルジョイントのように様々な角度位置に変更可能なように回動することができる。そして、角度位置を変更すると、下端部３１ａが調整用突起４８ａに圧接された摩擦力によってその角度位置に安定した状態で保持されるようになる。
【００２９】
収容孔４９ａの底面に設けられた板バネ部材５１ａは、組み立てにより骨伝導ユニット５ａに圧接されるため、常時開口部４６ａに向かって付勢する弾性力を作用させるようになる。そのため、骨伝導ユニット５ａの頭部伝導面５０ａが開口部４６ａから露出した状態となって、常に頭部側面に頭部伝導面５０ａを圧接した状態に保持することができる。
【００３０】
保持ケース体４ａの開口部４６ａから露出する頭部伝導面５０ａを頭部側面の伝導しやすい骨の位置に位置合せする場合には、まず、図３に示すように、嵌合部材２ａを矢印Ｔ１で示す前後方向に移動させて頭部の前後方向の位置調整を行うとともに、アーム部材３ａを頭部側面に沿った矢印Ｔ２方向に回動させて上下方向の位置調整を行う。例えば、耳の前方に位置合せする場合には、嵌合部材２ａを移動させて保持ケース体４ａを耳の前方に移動させ、アーム部材３ａを回動させて伝導しやすい骨の位置に頭部伝導面５０ａが当接するように位置調整する。アーム部材３ａが回動すると、その上端部３０ａが軸支部２０ａに挟持されているためその摩擦力により回動した位置において安定した状態で保持されるようになる。
【００３１】
そして、アーム部材３ａの下端部３１ａに回動可能に取り付けられた保持ケース体４ａは、図５に示すように、矢印Ｔ３方向に回動することができ、また、図６の横断面図に示すように、矢印Ｔ４方向にも回動可能で、両方向の回動方向を組み合せたあらゆる方向への回動も可能なことから、頭部伝導面５０ａ全体が頭部側面にできるだけ密着するように回動させて位置合せする。アーム部材３ａの下端部３１ａは、保持ケース体４ａの調整用突起４８ａに圧接されているため、その摩擦力により保持ケース体４ａが回動した状態で安定して保持されるようになる。
【００３２】
以上のように、嵌合部材２ａの摺動による前後方向の位置合せ及びアーム部材３ａの回動による位置合せにより頭部伝導面５０ａを伝導しやすい骨の位置に位置合せし、保持ケース体４ａをアーム部材３ａの下端部３１ａに対して回動させて頭部伝導面５０ａの頭部側面に対する角度調整をして密着した状態に位置合せすることで、利用者が最適な位置に骨伝導ユニットを位置合せすることができる。そして、位置合せした状態を安定して保持することができ、従来のヘッドフォンと同様に音質の優れた音楽を長時間にわたって聴くことも可能となる。
【００３３】
図７は、保持ケース体４ａに収容可能な小型化された骨伝導ユニット５の一例を示す概略断面図である。骨伝導ユニット５は、ケース６５内に、中心磁極６１が突設したヨーク６０が配設されており、中心磁極６１を中心にボイスコイル６２が巻回されている。ボイスコイル６２の両側にはマグネット６３がヨーク６０上に配置固定されている。そして、ヨーク６０の上部に横設固定された振動板６４の開口部にプレートヨーク６６が固定されており、プレートヨーク６６をケース６５に固定することで、ヨーク６０が底面から浮いた状態でケース６５の上面に固定される。そして、ボイスコイル６２にオーディオ信号を入力することで、振動板６４が信号に応答して振動し、ケース６５の頭部当接部から振動が骨に伝達されるようになる。
【００３４】
図８は、こうした骨伝導ユニット５の使用状態に関する説明図である。骨伝導ユニット５には、音声出力装置７０と接続するケーブル７１が取り付けられており、ケーブル７１の接続コネクタが音声出力装置７０の接続端子に接続されている。音声出力装置７０は、アンプ等を備えており、各種装置から入力されるオーディオ信号を処理して骨伝導ユニット５０に出力する。例えば、音声出力装置７０に付属のマイク７２からオーディオ信号を入力したり、ＣＤプレイヤー、ＭＤプレイヤー、又はＭＰ３プレイヤー等のオーディオ再生装置７３を接続してオーディオ信号を入力したり、携帯電話７４等の通信機器からオーディオ信号を入力することができる。
【００３５】
図９は、アーム部材及び保持ケース体の取付構造に関する変形例を示す正面図であり、図１０は、その縦断面図を示している。この例では、アーム部材３ａ’の上端部３０ａ’は、上述の実施形態と同様に嵌合部材２ａに取り付けられているが、アーム部材３ａ’は外方に折り曲げ形成されて、その下端部３１ａ’は下向きに延設されている。保持ケース体４ａ’は、骨伝導ユニット５ａを収容する円筒部４２ａ’とアーム部材３ａ’の下端部３１ａ’が取り付けられる取付部４１ａ’を備えている。そして、円筒部４２ａ’の底面には板バネ部材５１ａ’が設けられており、上述した実施形態と同様に骨伝導ユニット５ａを開口部に向かって付勢するようになっている。開口部から露出した頭部伝導面５０ａを被覆するようにカバー部材４７ａ’が設けられている。
【００３６】
取付部４１ａ’の上部に穿設された挿着孔４４ａ’に挿入されたアーム部材３ａ’の下端部３１ａ’は、上述の実施形態と同様に、括れた部分が挿着孔４４ａ’の周縁部と密着しているとともに取付部４１ａ’内に突設された調整用突起４８ａ’に圧接した状態にされており、挿着孔４４ａ’の周縁部が内方に向かって傾斜するように形成されているため、取付部４１ａ’は、下端部３１ａ’に対し角度位置が変更可能に回動することができる。
【００３７】
したがって、上述の実施形態と同様に、保持ケース体４ａ’を回動させて頭部伝導面５０ａが頭部側面にできるだけ密着するようにその角度を調整して位置合せすることができる。
【００３８】
この例では、上述の実施形態に比べて保持ケース体の上下方向の長さを短くでき、よりコンパクト化することが可能となる。
【００３９】
こうした変形例以外にも、アーム部材に対して保持ケース体を回動可能に取り付けることは可能で、骨伝導ユニットの頭部伝導面が頭部側面にできるだけ密着するように位置合せできるものであれば、用いることができる。
【００４０】
また、嵌合部材に対してアーム部材の上端部を回動可能に取り付ける場合についても、上述した例以外の取付構造を用いることも可能であり、例えば、上端部にネジ穴を穿設して嵌合部材の軸支部にネジ止めするようにしてもよく、アーム部材を頭部側面に沿って適宜回動させた後ネジ止めすることで、安定した状態でアーム部材を保持することができるようになる。
【００４１】
また、上述した例では、骨伝導ユニットを開口部に付勢する部材として板バネを用いているが、弾性力により常時付勢することができる弾性部材であれば、板バネ以外のものも用いることができ、例えば、ウレタンゴムやシリコンゴムといったゴム材料を用いてもよい。
【００４２】
図１１は、支持枠体１の摺動部及び嵌合部材に関する変形例を示す斜視図である。図１２は、図１１の摺動部１ａ’及び嵌合部材２ａ’に関する概略断面図である。この例では、摺動部１ａ’及び１ｂ’の摺動面は、係止突起のない平面に形成されている。そして、嵌合部材２ａ’は断面コ字状に形成されて、上方から摺動部１ａ’に嵌め込んで取り付けられる。嵌合部材２ａ’の内側部及び外側部の前後には、それぞれネジ穴が形成されており、各ネジ穴に一対のネジ部材２３ａが螺合している。ネジ部材２３は、嵌合部材２ａ’の内側部及び外側部を貫通するように締付固定されているので、嵌合部材２ａ’は、内側部及び外側部が摺動部１ａ’の摺動面に圧着して固定される。
【００４３】
ネジ部材２３ａを緩めることで、嵌合部材２ａ’が摺動部１ａ’に沿って摺動することができ、頭部の前後方向の位置調整が可能となる。なお、位置調整を行う場合には、嵌合部材２ａ’を摺動部１ａ’から一旦取り外して適当な位置に改めて嵌め込むようにしてもよい。
【００４４】
図１３は、図１１の嵌合部材２ａ’に関する別の変形例を示す概略断面図である。この例では、ネジ部材２３ａの代わりに嵌合部材２ａ’の内側面に係合突起２４ａを形成している。嵌合部材２ａ’の嵌入口を下向きにして摺動部１ａ’の上方から押し込むことで、嵌合部材２ａ’の両側部が開きながら押入されていき、係合突起２４ａが摺動部１ａ’の下面に係合して嵌合部材２ａ’が固定される。この場合にも、嵌合部材２ａ’を摺動部１ａ’に摺動させて位置調整を行うことができ、また、嵌合部材２ａ’の両側部を開いて一旦取り外して適当な位置に嵌め込んで位置調整を行うこともできる。
【００４５】
以上の例では、頭部に装着する既存の枠体に取り付けることも可能となり、幅広い用途に適用することができる。
【図面の簡単な説明】
【００４６】
【図１】本発明に係る実施形態に関する斜視図である。
【図２】図１に示す実施形態に関する分解斜視図である。
【図３】嵌合部材の摺動部に対する取り付け状態を示す側面図である。
【図４】嵌合部材の摺動部に対する取り付け状態を示す正面図である。
【図５】保持ケース体を組立てた状態における縦断面図である。
【図６】保持ケース体を組立てた状態における横断面図である。
【図７】骨伝導ユニット内部構造を示す概略断面図である。
【図８】骨伝導ユニットの使用状態を示す説明図である。
【図９】アーム部材及び保持ケース体の取付構造に関する変形例を示す正面図である。
【図１０】図９に示す変形例に関する縦断面図である。
【図１１】支持枠体の摺動部及び嵌合部材に関する変形例を示す斜視図である。
【図１２】図１１の摺動部及び嵌合部材に関する概略断面図である。
【図１３】図１１の嵌合部材に関する別の変形例を示す概略断面図である。
【符号の説明】
【００４７】
１    支持枠体
２    嵌合部材
３    アーム部材
４    保持ケース体
５    骨伝導ユニット
【図１】
2007312050.tif 000003
【図２】
2007312050.tif 000004
【図３】
2007312050.tif 000005
【図４】
2007312050.tif 000006
【図５】
2007312050.tif 000007
【図６】
2007312050.tif 000008
【図７】
2007312050.tif 000009
【図８】
2007312050.tif 000010
【図９】
2007312050.tif 000011
【図１０】
2007312050.tif 000012
【図１１】
2007312050.tif 000013
【図１２】
2007312050.tif 000014
【図１３】
2007312050.tif 000015